(57)【要約】      （修正有）【課題】簡易構造にして大小２種類のディスクを所定の回転位置に確実に案内することのできるディスク位置決め機構を備えたディスク駆動装置を提供する。【解決手段】伝動ギア部６ｂの噛み合いにより互いに逆方向に揺動する開閉レバー６Ｌ，６Ｒと、連接部Ｌａ，Ｒａを中心に揺動するセレクタ７Ｌ，７Ｒと、を有する。連接部Ｌａ，Ｒａにはディスクｄ，Ｄから押圧力を受けるセンタリング用凸部が設けられる。セレクタ７Ｌ，７Ｒは、凸部を小径ディスクｄが押圧したときロック用凸部３ａに係止したまま開閉レバー６Ｌ，６Ｒを初期位置に維持すべき抵抗モーメントを発生する係合部７ａを有する。セレクタ７Ｌ，７Ｒには、大径ディスクＤによる凸部の押圧前にディスクＤから押圧力を受けて、セレクタ７Ｌ，７Ｒを両者の係合部７ａがロック用凸部３ａから外れる方向に揺動させるロック解除用凸部７ｄが設けられる。【選択図】図１
2009252318.tif 000002
【特許請求の範囲】
【請求項１】
直径が異なる大小２種類のディスクを筐体内における所定の回転位置に案内するディスク位置決め機構を備えたディスク駆動装置であって、
前記ディスク位置決め機構は、
前記筐体に形成されるスリット状の挿入口に挿入されたディスクの片面に臨むベースと、
前記ベースに揺動可能に取り付けられて各々の一端外周に形成された伝動ギア部の噛み合いにより前記ベースに沿って互いに逆方向に揺動する一対の開閉レバーと、
前記一対の開閉レバーの各先端に連接して当該開閉レバーとの連接部を中心に前記ベースに沿って揺動する一対のセレクタと、を有し、
前記一対の開閉レバーは、両者の先端が前記挿入口側に向いて小径ディスクの直径より小さい間隔で最も寄り合う状態となる初期位置と、両者の先端が前記挿入口の長さ方向に沿って最も離れた状態となる全開位置との間で揺動可能とされると共に、前記初期位置に向けて付勢され、
前記連接部には、前記挿入口に挿入された大小２種類のディスクの端面と接触して、それらディスクから前記一対の開閉レバーを全開位置に向かわせる方向の押圧力を受けるセンタリング用凸部が設けられ、
前記ベースは、前記一対のセレクタを介して前記一対の開閉レバーを前記初期位置に拘束するロック用凸部を有し、
前記一対のセレクタは、前記センタリング用凸部を小径ディスクが押圧したとき前記ロック用凸部に係止したまま一対の開閉レバーを初期位置に維持すべき抵抗モーメントを発生する係合部を有して、その係合部が前記ロック用凸部に係止する方向に付勢されると共に、
前記一対のセレクタには、大径ディスクが前記センタリング用凸部を押圧したとき一対の開閉レバーの全開位置への揺動変位を許容すべく、前記大径ディスクによる前記センタリング用凸部の押圧前に当該大径ディスクから押圧力を受けて、一対のセレクタを両者の係合部が前記ロック用凸部から外れる方向に揺動させるロック解除用凸部が設けられていることを特徴とするディスク駆動装置。
【請求項２】
前記ベースには、前記一対のセレクタの姿勢制御用として、前記ロック解除用凸部を接触子とする所定形状のカム輪郭部が形成されていることを特徴とする請求項１記載のディスク駆動装置。
【請求項３】
前記一対のセレクタの外周縁には、前記係合部に連続して該係合部を前記ロック用凸部に係止する位置に案内する傾斜状のロックガイドが形成されていることを特徴とする請求項１、又は２記載のディスク駆動装置。
【請求項４】
前記ベースには、一方向に回転駆動するターンテーブルと協同して大小２種類のディスクの中心をクランプするクランプ盤が回転自在に取り付けられ、その中心が一対の開閉レバーの対称軸線上に位置していることを特徴とする請求項１〜３のいずれかに記載のディスク駆動装置。
【請求項５】
前記ベースには、一方向に回転駆動するターンテーブルと協同して大小２種類のディスクの中心をクランプするクランプ盤が回転自在に取り付けられ、その中心が一対の開閉レバーの対称軸線上に位置している一方、
前記ターンテーブルは前記ディスクの中心孔に嵌るテーパ状ハブを有し、そのテーパ状ハブが前記ディスクのクランプ時に前記中心孔に嵌り込みながら前記ディスクを前記挿入口側に押し戻す構成とされていることを特徴とする請求項１〜３のいずれかに記載のディスク駆動装置。
【発明の詳細な説明】
【技術分野】
【０００１】
本発明は、ＣＤやＤＶＤといったディスク（円盤状の情報記録媒体）を筺体内の回転位置に案内するスロットインタイプのディスク駆動装置に係わり、特に直径が異なる大小２種類のディスクを回転位置に案内することのできるディスク位置決め機構を備えたディスク駆動装置に関する。
【背景技術】
【０００２】
音声や映像の記録媒体として、従来からＣＤやＤＶＤといったディスクが一般に広く知られている。そのディスクは直径１２ｃｍのものが主流であるが、それ以外に直径８ｃｍのものもある。
【０００３】
一方、その種のディスクに情報を記録したり、その記録情報を再生したりするディスク駆動装置には、ディスクをトレイに載せて搬送するトレイ搬送方式と、トレイを使用せずにディスクをローラで直接挟み込むなどして搬送するスロットイン方式と呼ばれるものとが知られる。特に、スロットイン方式のディスク駆動装置において、直径が異なる大小２種類のディスクに対応し、それらディスクを所定の回転位置に案内することのできる位置決め機構を備えたものが知られている。
【０００４】
その一例として、筺体内に左右一対のストッパアームと複数個のセンサを設け、それらセンサにより大小２種類のディスクを判別し、その判別信号に基づき、小径ディスクでは左右一対のストッパアームが第１動作位置に拘束されたまま、その各先端に設けたストッパピンにて当該ディスクの位置決めが行なわれ、大径ディスクでは左右一対のストッパアームが第２動作位置まで揺動することで当該ディスクの位置決めが行なわれるようにしたものが知られる（例えば、特許文献１）。
【０００５】
又、左右一対のセンタリングアームの各先端にセンタリングピンを介してロックアームを連接すると共に、そのロックアームに各々当接ピンとロックピンとを設け、小径ディスクでは左右一対のセンタリングアームがロックピンにより定位置にロックされたまま、センタリングピンによって当該ディスクの位置決めが行なわれ、大径ディスクではその端面による当接ピンの押圧で左右一対のセンタリングアームのロックが解除され、以て間隔が広がるセンタリングピンにより大径ディスクの位置決めが行なわれるようにしたものが知られる（例えば、特許文献２）。
【０００６】
【特許文献１】特開平２−１８３４５８号公報（第２頁〜第５頁）
【特許文献２】特開平７−１４１７４５号公報（段落０００４〜００１１、図２〜図５）
【発明の開示】
【発明が解決しようとする課題】
【０００７】
以上のような特許文献１、２によれば、いずれも大小２種類のディスクをその中心がターンテーブルと合致する所定の回転位置に案内することができるものの、特許文献１では複数のセンサを用いてディスクの大小を判別することからコスト高となる上、センサが塵埃などを検知してストッパアームを誤動作させてしまうことが懸念される。
【０００８】
一方、特許文献２では、左右一対のセンタリングアームが中間レバーを介して連結されることから部品点数が多く、全体の組立に時間を要するという問題がある。又、特許文献２において、ロックピンはセンタリングアームの揺動方向にあってバネの弾力でプレートの部位に係止されるだけであり、しかもディスクの位置決めが完了した時点で当接ピンをディスクの端面から離間させるべく、センタリングアームはロックピンがロック位置にあっても開き方向への揺動を許容されていることから、小径ディスクの挿入時においてロックピンがロック位置から外れ、その状態のまま一対のセンタリングアームが小径ディスクによって押し広げられ、同ディスクの位置決めが適切に行なわれなくなる可能性がある。
【０００９】
本発明は以上のような事情に鑑みて成されたものであり、その目的は簡易構造にして大小２種類のディスクを所定の回転位置に確実に案内することのできるディスク位置決め機構を備えたディスク駆動装置を提供することにある。
【課題を解決するための手段】
【００１０】
本発明は上記目的を達成するため、
直径が異なる大小２種類のディスクｄ，Ｄを筐体１内における所定の回転位置に案内するディスク位置決め機構２を備えたディスク駆動装置であって、
ディスク位置決め機構２は、
筐体１に形成されるスリット状の挿入口１ａに挿入されたディスクｄ，Ｄの片面に臨むベース３と、
ベース３に揺動可能に取り付けられて各々の一端外周に形成された伝動ギア部６ｂの噛み合いによりベース３に沿って互いに逆方向に揺動する一対の開閉レバー６Ｌ，６Ｒと、
一対の開閉レバー６Ｌ，６Ｒの各先端に連接して当該開閉レバーとの連接部Ｌａ，Ｒａを中心にベース３に沿って揺動する一対のセレクタ７Ｌ，７Ｒと、を有し、
一対の開閉レバー６Ｌ，６Ｒは、両者の先端が挿入口１ａ側に向いて小径ディスクｄの直径より小さい間隔で最も寄り合う状態となる初期位置と、両者の先端が挿入口１ａの長さ方向に沿って最も離れた状態となる全開位置との間で揺動可能とされると共に、前記初期位置に向けて付勢され、
連接部Ｌａ，Ｒａには、挿入口１ａに挿入された大小２種類のディスクｄ，Ｄの端面と接触して、それらディスクから一対の開閉レバー６Ｌ，６Ｒを全開位置に向かわせる方向の押圧力を受けるセンタリング用凸部７ｅが設けられ、
ベース３は、一対のセレクタ７Ｌ，７Ｒを介して一対の開閉レバー６Ｌ，６Ｒを前記初期位置に拘束するロック用凸部３ａを有し、
一対のセレクタ７Ｌ，７Ｒは、センタリング用凸部７ｅを小径ディスクｄが押圧したときロック用凸部３ａに係止したまま一対の開閉レバー６Ｌ，６Ｒを初期位置に維持すべき抵抗モーメントを発生する係合部７ａを有して、その係合部７ａがロック用凸部３ａに係止する方向に付勢されると共に、
一対のセレクタ７Ｌ，７Ｒには、大径ディスクＤがセンタリング用凸部７ｅを押圧したとき一対の開閉レバー６Ｌ，６Ｒの全開位置への揺動変位を許容すべく、大径ディスクＤによるセンタリング用凸部７ｅの押圧前に当該大径ディスクＤから押圧力を受けて、一対のセレクタ７Ｌ，７Ｒを両者の係合部７ａがロック用凸部３ａから外れる方向に揺動させるロック解除用凸部７ｄが設けられていることを特徴とする。
【００１１】
加えて、ベース３には、一対のセレクタ７Ｌ，７Ｒの姿勢制御用として、ロック解除用凸部７ｄを接触子とする所定形状のカム輪郭部３ｃが形成されていることを特徴とする。
【００１２】
又、一対のセレクタ７Ｌ，７Ｒの外周縁には、係合部７ａに連続して該係合部をロック用凸部３ａに係止する位置に案内する傾斜状のロックガイド７ｂが形成されていることを特徴とする。
【００１３】
更に、ベース３には、一方向に回転駆動するターンテーブル５と協同して大小２種類のディスクｄ，Ｄの中心をクランプするクランプ盤４が回転自在に取り付けられ、その中心が一対の開閉レバー６Ｌ，６Ｒの対称軸線ＣＬ上に位置していることを特徴とする。
【００１４】
特に、ターンテーブル５はディスクｄ，Ｄの中心孔ｈに嵌るテーパ状ハブ５ａを有し、そのテーパ状ハブ５ａがディスクｄ，Ｄのクランプ時に中心孔ｈに嵌り込みながらディスクｄ，Ｄを挿入口１ａ側に押し戻す構成とされていることを特徴とする。
【発明の効果】
【００１５】
本発明によれば、一対の開閉レバーとセレクタとの連接部に設けられるセンタリング用凸部に対し、大小２種類のディスクの端面を接触させることにより、特許文献１のように複数のセンサを用いることなくそれらディスクを所定の回転位置に位置決めすることができる。特に、小径ディスクによりセンタリング用凸部が押圧されたとき、一対の開閉レバーを初期位置に拘束すべき抵抗モーメントが発生するようにしていることから、開閉レバーを初期位置に維持したまま小径ディスクを所定の回転位置に確実に案内することができる。しかも、一対の開閉レバーの各一端に伝動ギア部が形成され、その伝動ギア部同士が噛み合わされることから、特許文献２のように中間レバーを用いることなく一対の開閉レバーを同調的に揺動させることができる。
【００１６】
加えて、ディスク位置決め機構のベースには、一対のセレクタの姿勢制御用としてロック解除用凸部を接触子とする所定形状のカム輪郭部が形成されることから、ユーザによって大径ディスクが移動中に引き抜かれるなどした場合でも、一対のセレクタがロック用凸部側に揺動するのを抑制しながら、それらセレクタを両者の係合部がロック用凸部に係止する位置まで復帰させることができる。
【００１７】
又、一対のセレクタの外周縁には、係合部に連続して該係合部をロック用凸部に係止する位置に案内する傾斜状のロックガイドが形成されていることから、セレクタの復帰動作に際してロックガイドをロック用凸部に押し付けながら、係合部をロック用凸部に係止する位置まで確実に案内することができる。
【００１８】
更に、ベースには大小２種類のディスクの中心をクランプするクランプ盤が回転自在に取り付けられ、その中心が一対の開閉レバーの対称軸線上に位置していることから、そのクランプ盤により、ディスクの中心を所定の回転位置にて適切にクランプすることができる。
【００１９】
特に、ターンテーブルがディスクの中心孔に嵌るテーパ状ハブを有し、そのテーパ状ハブがディスククランプ時にその中心孔に嵌り込みながらディスクを挿入口側に押し戻す構成とされていることから、特別な部品を付加せずしてディスクを開閉レバー等から離して無負荷状態で安定回転させることができる。
【発明を実施するための最良の形態】
【００２０】
以下、本発明を図面に基づいて詳しく説明する。図１は本発明に係るディスク駆動装置の内部を示した平面概略図である。図１において、１は装置の筺体であり、その一端面（前面）には直径が異なる大小２種類のディスク（小径ディスクｄおよび大径ディスクＤ）を挿入可能なスリット状の挿入口１ａが形成されている。ディスクｄ，Ｄはオーディオ信号やビジュアル信号などを記録することのできる光ディスクであり、本例において小径ディスクｄの直径は８ｃｍ、大径ディスクＤの直径は１２ｃｍとされている。
【００２１】
そして、係るディスク駆動装置によれば、挿入口１ａに挿入されたディスクｄ，Ｄを筺体１内における所定の回転位置まで搬送して一方向に回転させながら、それらディスクｄ，Ｄに所望の情報を記録したり、その記録情報を読み出したりすることができる。
【００２２】
２は図示せぬ送りローラなどにより挿入口１ａから筺体１内に搬送されるディスクｄ，Ｄを所定の回転位置に案内するディスク位置決め機構であり、これは筺体１内の上部（図１において手前側）に位置付けられている。
【００２３】
図２は、そのディスク位置決め機構２を示した拡大平面図である。図１および図２において、３はディスク位置決め機構２を構成する平板状のベースであり、このベース３は図示せぬベースシャーシで一端両側を回動可能に支持され、挿入口１ａから図１の上方（図１の矢印方向）に向かって筺体１内に挿入されたディスクｄ，Ｄの片面（非記録面側）に臨むようになっている。ベース３には、回動支点となる一端側とは反対の端縁中央部においてクランプ盤４が回転自在に取り付けられており、そのクランプ盤４とターンテーブル５（図５参照）によってディスクｄ，Ｄの中心部がクランプされるようになっている。つまり、上記回転位置とは、ディスクｄ，Ｄの中心がクランプ盤４とターンテーブル５とでクランプされる位置であり、当該回転位置にディスクｄ，Ｄの中心が位置したとき、ベース３の回動（回転移動）によりクランプ盤４がターンテーブル５側に移動され、その両者４，５でディスクｄ，Ｄの中心がクランプされる構成とされている。
【００２４】
又、ベース３には、左右一対の開閉レバー６Ｌ，６Ｒが揺動可能に取り付けられている。６ａは開閉レバー６Ｌ，６Ｒをベース３に結節する一対の支点軸であり、開閉レバー６Ｌ，６Ｒは各々その支点軸６ａを中心に、図１および図２に示される位置を初期位置として後述する全開位置との間でベース３に沿って揺動可能とされている。
【００２５】
ここに、開閉レバー６Ｌ，６Ｒは、上記初期位置において両者の先端が挿入口１ａ側に向いて小径ディスクｄの直径より小さい間隔で最も寄り合う状態となり、上記全開位置では両者の先端が挿入口１ａの長さ方向（図１および図２の左右方向）に沿って最も離れた状態となる。特に、開閉レバー６Ｌ，６Ｒの支点側の各一端外周には、各支点軸６ａを中心とする円弧状の伝動ギア部６ｂが形成され、その伝動ギア部６ｂ，６ｂの噛み合いをもって開閉レバー６Ｌ，６Ｒが互いに逆向きに揺動するようになっている。そして、それら開閉レバー６Ｌ，６Ｒは、一方の開閉レバー６Ｒとベース３との間に掛け渡されるバネ６ｃにより初期位置に向けて（図１および図２において、左側の開閉レバー６Ｌは反時計回りに、右側の開閉レバー６Ｒは時計回りに）付勢され、無負荷時において初期位置に保持されるようになっている。
【００２６】
尚、開閉レバー６Ｌ，６Ｒは、伝動ギア部６ｂ，６ｂのピッチ円の接点（ピッチ点）における接線を対称軸線ＣＬとして左右対称に配置され（図１参照）、その対称軸線ＣＬ上に上記クランプ盤４が位置している。
【００２７】
一方、開閉レバー６Ｌ，６Ｒの各先端には平板状のセレクタ７Ｌ，７Ｒが連接され、そのセレクタ７Ｌ，７Ｒが開閉レバー６Ｌ，６Ｒとの連接部Ｌａ，Ｒａを中心にベース３に沿って揺動可能とされている。セレクタ７Ｌ，７Ｒには、それぞれ相対向する内側縁に入隅が直角に切り欠かれた凹角状の係合部７ａが形成されるほか、その係合部７ａに連続して傾斜状のロックガイド７ｂが形成される。尚、ベース３には、一対のセレクタ７Ｌ，７Ｒの内側において、係合部７ａに対応する左右一対のロック用凸部３ａが形成されている。そして、一対のセレクタ７Ｌ，７Ｒは、開閉レバー６Ｌ，６Ｒとの間に掛けられるバネ７ｃにより、係合部７ａがロック用凸部３ａに係止する方向に付勢され、その係合部７ａとロック用凸部３ａとの係合をもって開閉レバー６Ｌ，６Ｒが図１、図２に示される初期位置に拘束されるようになっている。
【００２８】
又、セレクタ７Ｌ，７Ｒには、ディスクｄ，Ｄの進路上に垂下するロック解除用凸部７ｄが形成されている。それらロック解除用凸部７ｄは、挿入口１ａの長さ方向に沿って配列し、その両者７ｄ，７ｄの間隔が小径ディスクｄの直径より大きく、且つ大径ディスクＤの直径よりも小さくなるよう設定されており、挿入口１ａに大径ディスクＤが挿入されたときに当該大径ディスクＤからの押圧力を受けて左右一対のセレクタ７Ｌ，７Ｒを各々その両者の係合部７ａがロック用凸部３ａから外れる方向に揺動させる働きをする。
【００２９】
従って、小径ディスクｄの挿入時にはロック解除用凸部７ｄが同時に押圧されず、係合部７ａ，７ａの少なくとも一方がロック用凸部３ａに係止したままとなるため、伝動ギア部６ｂ，６ｂが噛み合った一対の開閉レバー６Ｌ，６Ｒは初期位置に維持され、大径ディスクＤの挿入時にはセレクタ７Ｌ，７Ｒの係合部７ａがロック用凸部３ａから共に外されて初期位置にある開閉レバー６Ｌ，６Ｒが全開位置への揺動変位を許容される。
【００３０】
尚、図１および図２において、３ｂは開閉レバー６Ｌ，６Ｒとセレクタ７Ｌ，７Ｒとの連接部Ｌａ，Ｒａに対応してベース３に形成した円弧状の長孔、３ｃはセレクタ７Ｌ，７Ｒの姿勢制御用としてベース３に形成したカム輪郭部であり、このカム輪郭部３ｃは、ロック解除用凸部７ｄを接触子（カム従節）として該ロック解除用凸部７ｄを摺接させながら、その移動案内を行なってセレクタ７Ｌ，７Ｒの揺動姿勢を制御する働きをする。
【００３１】
次に、図３は小径ディスクｄの挿入時において開閉レバーが初期位置に維持される状態を示し、図４には大径ディスクＤによって開閉レバーが全開位置に移動（揺動変位）された状態を示す。これら図で明らかなように、セレクタ７Ｌ，７Ｒには、開閉レバー６Ｌ，６Ｒとの連接部Ｌａ，Ｒａにおいて、大小２種類のディスクｄ，Ｄの端面と接触するセンタリング用凸部７ｅが設けられる。センタリング用凸部７ｅは、図１および図２に示した長孔３ｂを通じてセレクタ７Ｌ，７Ｒの各一端からディスクｄ，Ｄの進路上に垂下される円筒状のボス７ｅ１と、このボス７ｅ１からその半径方向に突出する突片７ｅ２とにより構成され、開閉レバー６Ｌ，６Ｒの各先端にはボス７ｅ１内に嵌る連接ピン６ｄが突設されている。
【００３２】
ここに、小径ディスクｄは、図３に示されるようロック解除用凸部７ｄ，７ｄの間を通って筺体内に進行し、やがて進行方向側の端面２箇所がセンタリング用凸部７ｅ，７ｅに接触して進行を阻止されるようになる。このとき、開閉レバー６Ｌ，６Ｒに対し、セレクタ７Ｌ，７Ｒのボス７ｅ１に嵌る連接ピン６ｄを通じて全開位置に向かう方向（左側の開閉レバー６Ｌには図３の時計回り、右側の開閉レバー６Ｒには図３の反時計回り）のトルクが作用するが、セレクタ７Ｌ，７Ｒには図２に示したバネ７ｃの付勢力に加えて係合部７ａがロック用凸部３ａに係止する方向のトルク（モーメント）が作用し、その反力が開閉レバー６Ｌ，６Ｒを初期位置に維持すべき拘束力（抵抗モーメント）として開閉レバー６Ｌ，６Ｒに作用することにより、その両開閉レバー６Ｌ，６Ｒが初期位置に維持される。このため、小径ディスクｄはその端面をセンタリング用凸部７ｅに接触させたまま進行を阻止される。
【００３３】
一方、大径ディスクＤは、図４のようにその端面でロック解除用凸部７ｄ，７ｄを押圧しながら筺体内に進行し、次いでその端面がセンタリング用凸部７ｅ，７ｅを押圧するようになる。大径ディスクＤの端面がセンタリング用凸部７ｅ，７ｅに接触するとき、セレクタ７Ｌ，７Ｒの係合部７ａがロック用凸部３ａから既に外されて開閉レバー６Ｌ，６Ｒが全開位置への揺動変位を許容された状態にあり、このため大径ディスクＤは図４のようにセンタリング用凸部７ｅ，７ｅを介して開閉レバー６Ｌ，６Ｒを全開位置に向けて押し広げながら更に進行を続け、開閉レバー６Ｌ，６Ｒが図４に示す全開位置に達した段階で大径ディスクＤがその端面をセンタリング用凸部７ｅ，７ｅに接触させたまま進行を阻止されるようになる。
【００３４】
又、図３および図４から明らかなように、一方の開閉レバー６Ｌにはその中間部分においてトリガアーム８がピン８ａを中心に揺動自在に連結されている。このトリガアーム８は、図２に示したベース３を介して開閉レバー６Ｌ，６Ｒとは反対側に配置され、その先端がディスクｄ，Ｄの進路上にあってディスクｄ，Ｄの端面と接触するようになっている。又、ベース３には、トリガアーム８とは反対側の面にスライド板９とロックレバー１０が設けられている。
【００３５】
スライド板９は、ディスクｄ，Ｄの進行方向に沿って移動可能とされており、その板面には、移動方向に対して直交する長孔９ａと、移動方向に沿って延びるＬ字形のロック孔９ｂとが穿設され、トリガアーム８の基端に突設したピン８ｂが長孔９ａに嵌め込まれている。一方、ロックレバー１０は軸１０ａを中心に揺動可能とされ、その一部に突設したピン１０ｂがスライド板９のロック孔９ｂに嵌め込まれている。
【００３６】
そして、ディスクｄ，Ｄの挿入時において、それらディスクｄ，Ｄの端面でトリガアーム８の先端が押圧されると、スライド板９がピン８ｂに押されて図３、図４に示される一点鎖線の位置から実線で示される挿入口１ａ側に移動し、図示せぬベースシャーシの側面に設けたスライドカム１１を同方向に移動させ、このスライドカム１１に形成されるラック部を図示せぬ駆動ピニオンに噛み合わせるようになっている。
【００３７】
このスライドカム１１は、上記クランプ盤４とターンテーブル５とによるディスクｄ，Ｄのクランプが遂行されるようベース３を作動（回動）させるもので、ディスククランプ時には図示せぬ送りローラをディスクｄ，Ｄから離間させる働きもする。
【００３８】
ここに、スライドカム１１がそのラック部と上記駆動ピニオンとの噛み合いをもって挿入口１ａ側に移動すると、ベース３の回動が始まり、その回動をもってスライド板９が図示せぬベースシャーシの部位で押圧されつつ更に挿入口１ａ側に移動され、これによってトリガアーム８の先端がディスクｄ，Ｄの端面から離間するようになっている。特に、図４に示されるように、大径ディスクＤにより開閉レバー６Ｌ，６Ｒが全開位置まで移動されたとき、一対の開閉レバー６Ｌ，６Ｒはその一方６Ｌの先端部に形成した突角部６ｅに対してロックレバー１０が係止することにより全開位置に拘束される。
【００３９】
尚、スライド板９は、スライドカム１１の移動によるベース３の回動によって復帰動作を阻止され、そのロック孔９ｂの一端部に嵌り込んだピン１０ｂを介してロックレバー１０の揺動を拘束するのであり、このため全開位置に達した開閉レバー６Ｌ，６Ｒが同位置に拘束されることになる。
【００４０】
又、スライド板９が挿入口１ａ側の移動端に達する直前までディスクｄ，Ｄはその端面をセンタリング用凸部７ｅ（大径ディスクＤにおいてはセンタリング用凸部７ｅおよびロック解除用凸部７ｄ）に接触させた状態にあるが、スライドカム１１の移動に伴い、図５に示されるようベース３を介してクランプ盤４がターンテーブル５側に移動し、その両者４，５によるディスクｄ，Ｄのクランプが開始されると、ディスクｄ，Ｄの中心孔ｈにターンテーブル５のテーパ状ハブ５ａが嵌り込みつつ、そのテーパ状ハブ５ａのテーパ面に沿ってディスクｄ，Ｄが挿入口１ａ側（図５の矢印方向）に僅かに移動される。つまり、ターンテーブル５の軸線は、クランプ直前のディスク中心ｍよりも挿入口１ａ側に長さαだけずれており、しかもターンテーブル５（テーパ状ハブ５ａ）のテーパ幅βが上記のずれ長αよりも大きくなる設計とされている。
【００４１】
このため、ディスクｄ，Ｄがクランプ盤４とターンテーブル５とにより中心孔ｈの周囲をクランプされて所定の回転位置に位置決めされたとき、図６のようにセンタリング用凸部７ｅおよびロック解除用凸部７ｄに対してディスクｄ，Ｄが非接触となる。これにより、ディスクｄ，Ｄは回転位置においてセンタリング用凸部７ｅなどから摩擦抵抗を受けることなく、無負荷状態で回転されることになる。
【００４２】
ここで、小径ディスクｄが挿入口１ａに対し左右いずれか一方寄りに挿入された場合を想定する。例えば、図７のように小径ディスクｄが左側に偏って挿入された場合、この小径ディスクｄは図８のように左側セレクタ７Ｌのロック解除用凸部７ｄを押圧し、セレクタ７Ｌを同図時計回りに揺動させ、その係合部７ａを一方のロック用凸部３ａから外しながら進行し、次いで左側のセンタリング用凸部７ｅを押圧するようになる。その押圧力は伝動ギア部６ｂ，６ｂから右側の開閉レバー６Ｒにも伝達されて左右双方の開閉レバー６Ｌ，６Ｒを全開位置に向かわせる方向に作用するが、右側のセレクタ７Ｒはロック解除用凸部７ｄが小径ディスクｄで押圧されず、その係合部７ａがロック用凸部３ａに係止したままであり、しかも同係合部７ａが伝達トルクによってロック用凸部７ａに対しより強力に係止するようになり、その反力が一対の開閉レバー６Ｌ，６Ｒを初期位置に維持する抵抗モーメントとして作用するため、一対の開閉レバー６Ｌ，６Ｒは揺動せずして初期位置に維持される。
【００４３】
この結果、小径ディスクｄは左側のセンタリング用凸部７ｅとロック解除用凸部７ｄでガイドされながら右側に寄せられていき、最終的に図９に示されるようその端面２箇所が左右一対のセンタリング用凸部７ｅ，７ｅに接して上述の如く回転位置に位置決めされることになる。尚、開閉レバー６Ｌ，６Ｒは、その先端部がベース３に形成される長孔３ｂの端部に突き当たることで初期位置より内側への揺動が規制される。
【００４４】
一方、大径ディスクＤの挿入時には、図１０に示されるよう先ずその端面で左右一対のセレクタ７Ｌ，７Ｒのロック解除用凸部７ｄが押圧されることにより、図１１のように両者の係合部７ａがそれぞれロック用凸部３ａから外される。そして、その状態のまま大径ディスクＤは更に進行し、その端面が左右一対のセンタリング用凸部７ｅ，７ｅに突き当たるようになる。このとき、左右一対のセレクタ７Ｌ，７Ｒの係合部７ａがロック用凸部３ａから既に外れて開閉レバー６Ｌ，６Ｒが全開位置側への揺動を許容された状態にあるので、大径ディスクＤは左右一対の開閉レバー６Ｌ，６Ｒを押し広げながら進行を続け、図１２のように開閉レバー６Ｌ，６Ｒが全開位置に達した段階で大径ディスクＤが上述の如く回転位置に位置決めされることになる。
【００４５】
尚、開閉レバー６Ｌ，６Ｒは、ベース３に形成される孔３ｄの端部にピン８ａが突き当たることで全開位置よりも外側への揺動が規制される。
【００４６】
ここに、大径ディスクＤが移動中にユーザによって強制的に引き抜かれるなどした場合でも、カム輪郭部３ｃに対するロック解除用凸部７ｄの摺接をもってセレクタ７Ｌ，７Ｒがロック用凸部３ａ側に揺動するのを抑制されるようにしてあるので、セレクタ７Ｌ，７Ｒが開閉レバー６Ｌ，６Ｒとロック用凸部３ａ，３ａとの間に挟み込まれてしまうことがなく、ロックガイド７ｂをロック用凸部３ａに摺接させながら、左右一対のセレクタ７Ｌ，７Ｒを両者の係合部７ａがロック用凸部３ａに係止する位置まで適切に復帰させることができる。
【００４７】
以上、本発明の具体的な構成例を説明したが、センタリング用凸部７ｅはセレクタ７Ｌ，７Ｒ側に設けることに限らず、開閉レバー６Ｌ，６Ｒとセレクタ７Ｌ，７Ｒとの連接部Ｌａ，Ｒａにおいて開閉レバー６Ｌ，６Ｒ側に設けてもよく、その形態もボス７ｅ１と突片７ｅ２とを連ねたものに限らず、突片７ｅ２を省略するなどしてもよい。
【００４８】
又、対象とするディスクは直径８ｃｍと１２ｃｍのものに限らない。但し、両者の直径差に応じてセンタリング用凸部７ｅやロック解除用凸部７ｄの位置関係を変更すること勿論である。
【図面の簡単な説明】
【００４９】
【図１】本発明に係るディスク駆動装置の内部構造を示す平面概略図
【図２】ディスク位置決め機構を示す拡大平面図
【図３】小径ディスクを挿入したときの状態を示す説明図
【図４】大径ディスクを挿入したときの状態を示す説明図
【図５】ディスクが回転位置にてクランプされる状態を示す説明図
【図６】ディスク回転時の状態を示す説明図
【図７】小径ディスクが左寄りに挿入された状態を示す説明図
【図８】小径ディスクが左側のセレクタを揺動させた状態を示す説明図
【図９】小径ディスクが回転位置に案内された状態を示す説明図
【図１０】大径ディスクの挿入時の状態を示す説明図
【図１１】大径ディスクが一対のセレクタを揺動させた状態を示す説明図
【図１２】大径ディスクが回転位置に案内された状態を示す説明図
【符号の説明】
【００５０】
１  筺体
１ａ  挿入口
２  ディスク位置決め機構
３  ベース
３ａ  ロック用凸部
３ｃ  カム輪郭部
４  クランプ盤
５  ターンテーブル
６Ｌ，６Ｒ  開閉レバー
６ｂ  伝動ギア部
７Ｌ，７Ｒ  セレクタ
７ａ  係合部
７ｂ  ロックガイド
７ｄ  ロック解除用凸部
７ｅ  センタリング用凸部
ｄ  小径ディスク
Ｄ  大径ディスク
Ｌａ，Ｒａ  開閉レバーとセレクタとの連接部
【図１】
2009252318.tif 000003
【図２】
2009252318.tif 000004
【図３】
2009252318.tif 000005
【図４】
2009252318.tif 000006
【図５】
2009252318.tif 000007
【図６】
2009252318.tif 000008
【図７】
2009252318.tif 000009
【図８】
2009252318.tif 000010
【図９】
2009252318.tif 000011
【図１０】
2009252318.tif 000012
【図１１】
2009252318.tif 000013
【図１２】
2009252318.tif 000014